【手続補正書】
【提出日】平成18年3月1日(2006.3.1)
【手続補正１】
【補正対象書類名】明細書
【補正対象項目名】発明の詳細な説明
【補正方法】変更
【補正の内容】
【発明の詳細な説明】
【０００１】
【発明の属する技術分野】
本発明は、デジタル化された映像や音声等の再生信号情報が、その再生を制御する制御指令情報と共に記録されたディスク状記録媒体、例えばＤＶＤ−ＲＯＭ（Read Only Memory）の再生に使用して好適な再生方法及び再生装置に関する。詳しくは再生信号情報の再生を所望の動作で行わせる場合に、制御指令情報で許諾される制御を自動的に発行することによって、制御指令情報での許諾条件に反することなく所望の動作に近い動作を実現できるようにしたものである。
【０００２】
【従来の技術】
例えばＤＶＤ−ＲＯＭ（Read OnlyMemory）においては、デジタル化された映像や音声等の再生信号情報（Presentation Data）と共に制御指令情報（NavigationData）が記録されていて、この制御指令情報によって再生信号情報の再生手順や、再生装置の挙動などが規制されるようになっている。すなわちＤＶＤ−ＲＯＭにおいては、このような制御指令情報がＤＶＤ−ＲＯＭのフォーマット書である“DVD Specifications for Read-Only Disc”によって厳密に定められており、それに従って運用することが義務づけられているものである。なお以下の説明で、半角英字体で表記されているターム及び略語は上述のフォーマット書に記述されているものであり、その定義に基づいて使用されている。
【０００３】
ところで図１７には、上述のＤＶＤ−ＲＯＭに記録されるデジタル化された映像や音声等の再生信号情報（Presentation Data）の記録構造が示されている。なお図１７は全ての再生信号情報が連続して記録されている場合を示している。この図１７において、最初にいわゆるメニュー用の画面を表示するための再生信号情報（VMG ）が設けられる。この再生信号情報（VMG ）は、制御データ（VMGI）とメニュー用の再生データ（VMGM VOBS）とバックアップ用のデータ（VMGI）とがそれぞれ１ファイルずつ設けられたものである。
【０００４】
このメニュー用の再生信号情報（VMG）に続いて、デジタル化された映像や音声等の再生信号情報（VTS ）が設けられる。この再生信号情報（VTS）には、それぞれ１ファイルずつ制御データ（VTSI）が設けられ、これに続いて各再生信号情報（VTS）に固有のメニュー用の再生データ（VTSMVOBS）と、１〜９ファイル分の映像や音声等の再生信号情報（VTSTT VOBS）が設けられる。さらに１ファイル分のバックアップ用のデータ（VMGI）が設けられる。またこのような再生信号情報（VTS）は、１枚のディスク上に１個以上最大９９個まで設けられる。
【０００５】
さらにこれらの映像や音声等の再生信号情報（VTSTT VOBS）は、それぞれのファイルが多数の細切れの情報のセル（cell）によって構成される。また、これらのセル（cell）は任意の個数ごとにビデオ・オブジェクト（VOB ）として分割されている。そしてこれらのセル（cell）は、上述の再生信号情報（VTSTT VOBS）に付されたファイル番号（VTS#）と、ビデオ・オブジェクト（VOB ）に付されたＶＯＢ ＩＤ番号（VOB IDN#）及びセル（cell）に付されたＣＥＬＬ ＩＤ番号（C IDN#）とによって、全てのセル（cell）が個別に特定できるように構成されているものである。
【０００６】
一方、映像や音声等の再生信号情報（VTSTT VOBS）の再生は、１枚のディスクに最大９９個まで設けられるタイトル（TT）と、このタイトル（TT）ごとに１または複数が設けられるプログラムチェーン（PGC）に基づいて行われる。またプログラムチェーン（PGC）はそれぞれが１または複数のプログラム（PG）に分割され、これらのプログラム（PG）はタイトル（TT）ごとに最大９９個まで設けられるものである。そしてこれらのタイトル（TT）及びプログラム（PG）には、それぞれ通し番号（TTN#m ／PGN#n ）が振られているものである。
【０００７】
そこで図１８には、上述のプログラムチェーン（PGC）の１個分の制御指令情報（Navigation Data）の構造が示される。この図１８において、プログラムチェーン（PGC）の制御データ（PGCI）は、このプログラムチェーン（PGC）の再生前に実行されるプリコマンド（Pre-Command）と、再生される各セル（cell）を特定するファイル番号、ＶＯＢ ＩＤ番号、ＣＥＬＬ ＩＤ番号等の情報、さらにこのプログラムチェーン（PGC）の再生後に実行されるポストコマンド（Post-Command）によって構成される。また、上述の再生される各セル（cell）を特定する情報は、上述のプログラム（PG）ごとに任意に分割されている。
【０００８】
そしてこのプログラムチェーン（PGC）内の、上述の各セル（cell）を特定する情報に従って上述の再生信号情報（VTSTT VOBS）の中から個々のセル（cell）を取り出すことによって、例えば１つのプログラムチェーン（PGC）を構成する映像や音声等の再生が行われるものである。一方、プログラムチェーン（PGC）内のプリコマンド（Pre-Command）、ポストコマンド（Post-Command）、後述するセル（cell）等には、それぞれ制御指令情報（NavigationData）としての各種の制御を行う制御指令（Navigation Command: NV CMD）が設けられる。
【０００９】
そこでこのようなＤＶＤ−ＲＯＭにおいて、各プログラムチェーン（PGC）の再生は、フォーマットにある再生手順（PGC Playback order）に基づいて、以下のように行われなくてはならない。
1) Pre-Command phase（プリコマンドエリアにあるNVCMD群を実行する）
2) Presentation Initialization phase（ディスクの記述で指定される再生モード（一義再生／ランダム再生／シャッフル再生）を設定する）
【００１０】
3) Program Presentationphase （プログラムチェーン内に再生すべきセルがあるだけ、次の手順をセルごとに順次行う）
a) Cell presentation（映像や音声等の再生情報本体の再生を行う）
b) Cell Still （ディスクにより指定されている場合に、指定時間だけセルの最後の絵で静止画再生する）
c) Cell Command （現在再生中のセルにセルコマンドが存在すれば実行する。セルはセルごとに一つだけセルコマンドと呼ぶNVCMDを持つことができる）
【００１１】
4) Loop count phase （ 2) で設定された再生モードに従って、場合によっては 3) へ戻る）
5) PGC Stillphase （ディスクにより指定されている場合に、指定時間だけ最後の絵で静止画再生する。ランダム／シャッフル再生のみで実行される）
【００１２】
6) Post-Command phase （ポストコマンドエリアにあるNV CMD群を実行する）
7) Next Link phase （ディスクにより指定されている同一タイトル内の次のPGCNの再生を開始する。指定されていない場合は停止する。再生中のプログラムチェーンがタイトル内での一義再生を定めている場合には次のPGCNを指定することはできない）
【００１３】
従ってＤＶＤ−ＲＯＭでは、例えば再生装置へのタイトルやプログラムのアクセス命令や、再生装置の持つ内部パラメータ（NPRM: Navigation Parameter）を演算させたり、参照したり、その結果によって再生順序や再生箇所を決定するなどのインタラクティブな映像や音声等の再生信号情報の再生を実現できる仕組みがフォーマットに規定されており、それらの命令がディスクに書き込まれているものである。
【００１４】
すなわちこのようなディスクから再生装置への命令が制御指令（Navigation Command: NV CMD）であり、上述のPre-Command/Post-Command/Cell Command/Button Commandのいずれかにて、これらの制御指令（NV CMD）が実行されるようにディスクを制作することができる。
【００１５】
さらにこの制御指令（NV CMD）の存在によって、多くのＤＶＤ−ＲＯＭでは、いつタイトルやプログラムの再生が終了するか、タイトル／プログラム終了後のジャンプ先、またタイトルのどの部分がどういう順序で再生されるかなどが一意には決まらない。それらはユーザーのそこに至るまでの操作内容や、再生装置のセッティング状況などにより左右されるため、このような情報は、再生を実際に行い、制御指令（NVCMD）を実行してみた結果としてのみ再生装置のコントローラ部が知り得るものである。
【００１６】
なお、これらの制御指令（NV CMD）の例としては、例えばLinkInstruction GroupとJump Instruction Groupがある。すなわちLinkInstruction_Groupは、例えば再生中のタイトル内の指定したPGC/PTT/PG/Cellからの再生を即座に開始させる制御指令（NVCMD）である。またJump Instruction Groupは、再生中のメニューから指定したタイトルの、もしくは再生中のタイトルから指定したメニューのEntryPGCのPre-Command phaseから即座に開始させる制御指令（NV CMD）である。
【００１７】
またＤＶＤ−ＲＯＭでは、ユーザーがディスクを再生するときの再生、停止、スキップ、アクセスなどの再生装置に対するユーザー操作についても、その実行内容、実行許可・不許可、実行結果などがフォーマットで厳密に規定されている。これをユーザー・オペレーション（UOP）と呼び、ディスク再生中のユーザー操作はこのユーザー・オペレーション（UOP）の範囲で成り立たなければならず、これに対する再生装置の挙動もフォーマットに規定された通りの処理でなければならない。
【００１８】
一方、ディスク側では、任意のTitle/PGC/Programなどの括りで、任意のUOPを禁止・制限させることができる。これをユーザー・オペレーション・コントロール（UOP CTL）と呼び、このUOPを禁止・制限させる行為についてもフォーマットに規定されている。なお UOP CTLには、タイトル（TT）単位で禁止するTTSRPT、プログラムチェーン（PGC）単位で禁止するPGC UOP CTL、VOBUと呼ぶ約０．５秒の構成単位で禁止するVOBUUOP CTLの三つがあり、そのいずれの組み合わせでどのUOPを禁止・制限できるかも規定されているものである。
【００１９】
【発明が解決しようとする課題】
ところで上述のＤＶＤ−ＲＯＭの用途として、いわゆるカラオケの演奏及び表示される映像の信号源としての用途が考えられている。その場合に上述のＤＶＤ−ＲＯＭのフォーマットにおいては、例えば一つの曲の終了後に自動的に他の曲の先頭にジャンプするような制御指令（NV CMD）が規定されていない。このため従来のカラオケ用のＤＶＤ−ＲＯＭでは、任意のタイトル（TT）の再生が終了するメニュー画面（VMG）にジャンプする制御指令（NVCMD）を利用して、このメニュー画面（VMG）でユーザーの操作によって所望のタイトル（TT）へジャンプする制御が行われていた。
【００２０】
ところがこのような制御では、一々メニュー画面（VMG）での操作が必要になるために、操作が煩雑なものになってしまう。また、メニュー画面（VMG）で操作を行うために、例えば直接任意のタイトル（TT）やプログラム（PG）を指定してアクセスすることや、指定したタイトル（TT）やプログラム（PG）の再生後の自動停止、全タイトル（TT）及びプログラム（PG）の連続再生、あるいは全タイトル（TT）及びプログラム（PG）の繰り返し再生、全タイトル（TT）及びプログラム（PG）のランダム／シャッフル再生、指定のタイトル（TT）／プログラム（PG）の繰り返し再生、任意のタイトル（TT）／プログラム（PG）の１操作でのスキップ、ユーザーが指定したタイトル（TT）／プログラム（PG）の選択再生、指定したタイトル（TT）／プログラム（PG）のランダム／シャッフル再生（プログラムプレイ＝プレイモード再生）、次に再生するタイトル（TT）／プログラム（PG）の予約再生、複数の記録媒体（ディスク）に跨がってのそれぞれの上述した再生、などの制御を行うことができないものであった。
【００２１】
これに対して、上述のようにタイトル（TT）及びプログラム（PG）には、タイトル番号（TTN#m ）及びプログラム番号（PGN#n ）が振られているので、これらを利用してアクセス等を行うことは不可能ではない。しかしこのようなアクセスを無制限に認めた場合には、例えば映画ソフトなどを任意に編集して再生することが可能になり、著作者の持つ権利を侵害する恐れが生じる。すなわち上述の制御指令情報（NavigationData）として設けられる各種の制御指令（Navigation Command: NV CMD）は、このような権利侵害の発生を防止するために設けられているものである。
【００２２】
この出願はこのような点に鑑みて成されたものであって、解決しようとする問題点は、従来の装置では、特にカラオケ等の用途において制御が煩雑になって、良好な再生を行うことができない恐れがあり、また制御指令情報（Navigation Data）として設けられている各種の制御指令（Navigation Command: NV CMD）を無視して制御を行った場合には、著作者の持つ権利を侵害するなどの問題を生じる恐れがあるというものである。
【００２３】
【課題を解決するための手段】
このため本発明においては、再生信号情報の再生を所望の動作で行わせる場合に、所望の動作が制限されているときは制御指令情報で許諾される近似の制御を自動的に発行するようにしたものであって、これによれば著作者の持つ権利などを侵害することなく所望の動作に近い動作を実現することができる。
【００２４】
【発明の実施の形態】
すなわち本発明の第１の実施の形態は、所定の制御指令情報と再生信号情報とが設けられた記録情報から再生信号情報を制御指令情報に従って再生する再生方法であって、再生信号情報に関連して設けられるアドレスを逐次検出し、このアドレスが変化した時に再生信号情報の終了を判別してなるものである。これによって任意の再生信号情報の終了を検出することができる。
【００２５】
また、本発明の第２の実施の形態は、所定の制御指令情報と再生信号情報とが設けられた記録情報から再生信号情報を制御指令情報に従って再生する再生方法であって、再生信号情報中の任意の位置をアクセスする場合に、制御指令情報の許諾条件を逐次判別し、この判別結果に基づいて所定の制御指令を発行してアクセスを実行させるように制御してなるものである。これによって所定の制御指令情報の中で許諾された条件に応じて任意の再生信号情報をアクセスする制御指令を発行することができる。
【００２６】
さらに本発明の第３の実施の形態は、所定の制御指令情報と再生信号情報とが設けられた記録情報から再生信号情報を制御指令情報に従って再生する再生方法であって、再生信号情報に関連して設けられるアドレスを逐次検出してこのアドレスが変化した時に再生信号情報の終了を判別すると共に、再生信号情報中の任意の位置をアクセスする場合に、制御指令情報の許諾条件を逐次判別し、この判別結果に基づいて所定の制御指令を発行してアクセスを実行させるように制御してなるものである。これによって所定の制御指令情報の中で許諾された条件に応じて再生信号情報を所望の順番で再生することができ、いわゆるプログラムプレイ（＝プレイモード再生）を可能にすることができる。
【００２７】
また、本発明の第４の実施の形態は、所定の制御指令情報と再生信号情報とが設けられた記録媒体を再生する再生手段と、再生された制御指令情報と任意の操作信号とに基づいて制御指令を発行する制御部と、制御部からの命令に従って再生信号情報を再生する再生処理部とを有する再生装置であって、再生信号情報に関連して設けられるアドレスを逐次検出する手段と、このアドレスが変化した時に再生信号情報の終了を判別する手段とを有してなるものである。これによって任意の再生信号情報の終了を検出する再生装置を実現することができる。
【００２８】
また、本発明の第５の実施の形態は、所定の制御指令情報と再生信号情報とが設けられた記録媒体を再生する再生手段と、再生された制御指令情報と任意の操作信号とに基づいて制御指令を発行する制御部と、制御部からの命令に従って再生信号情報を再生する再生処理部とを有する再生装置であって、再生信号情報中の任意の位置をアクセスする場合に制御指令情報の許諾条件を逐次判別する手段と、この判別結果に基づいて所定の制御指令を発行してアクセスを実行させるように制御する手段とを有してなるものである。これによって所定の制御指令情報の中で許諾された条件に応じて任意の再生信号情報をアクセスする制御指令を発行する再生装置を実現することができる。
【００２９】
さらに本発明の第６の実施の形態は、所定の制御指令情報と再生信号情報とが設けられた記録媒体を再生する再生手段と、再生された制御指令情報と任意の操作信号とに基づいて制御指令を発行する制御部と、制御部からの命令に従って再生信号情報を再生する再生処理部とを有する再生装置であって、再生信号情報に関連して設けられるアドレスを逐次検出してこのアドレスが変化した時に再生信号情報の終了を判別する手段と、再生信号情報中の任意の位置をアクセスする場合に、制御指令情報の許諾条件を逐次判別する手段と、この判別結果に基づいて所定の制御指令を発行してアクセスを実行させるように制御する手段とを有してなるものである。これによって所定の制御指令情報の中で許諾された条件に応じて再生信号情報を所望の順番で再生することができ、いわゆるプログラムプレイ（＝プレイモード再生）を可能にした再生装置を実現することができる。
【００３０】
以下、図面を参照して本発明を説明するに、図１は本発明の適用される再生装置の一つの実施形態の構成を示すブロック図である。
【００３１】
図１において、ＤＶＤ−ＲＯＭ１０はディスク状の記録媒体にて構成される。このＤＶＤ−ＲＯＭ１０がドライブ部１１によって線速度一定で回転され、ピックアップ装置（図示せず）により記録された信号が取り出される。この取り出された信号が情報信号を取り出すための処理を行う前置処理部２０に入力される。すなわち前置処理部２０では、入力された信号が高周波（ＲＦ：Radio Frequency）アンプ２１を通じて位相ロックループ（ＰＬＬ：Phase Locked Loop）２２に供給され、位相ロックされた信号が８−１６変換（ＥＦＭ＋：Eight-FourteenModulation Plus）の復調器２３に供給されて記録された信号が復調される。
【００３２】
この復調された信号が、前置処理部２０内のマイクロコンピュータ２４に供給される。そしてこのマイクロコンピュータ２４では、例えば誤り訂正（ＥＣＣ：Error Correction Code）回路２５、誤り検出（ＥＤＣ：Error Detection Code）回路２６、外付けの４ＭＤＲＡＭ（4 Mega-bits Dynamic Random Access Memory）３０等との共働で、上述の復調された信号から情報信号を取り出す処理が行われる。なお復調された信号がＣＤＲＯＭ（Compact Disk Read Only Memory）のフォーマットの場合には、ＣＤＲＯＭデコーダ２７との共働で情報信号を取り出す処理が行われる。
【００３３】
さらにこの前置処理部２０では、後述するコントローラ部４０との間で制御信号が交換されると共に、この制御信号の一部がサーボ部５０と交信されてＤＶＤ−ＲＯＭ１０のドライブ手段１１の動作が制御される。また上述のＥＦＭ復調器２３では、例えばＤＶＤ−ＲＯＭ１０の線速度一定（ＣＬＶ：Constant Linear Velocity）の動作に対する誤差分が検出される。そしてこの誤差分がＣＬＶ検出器２８を通じてドライブ手段１１に供給されて駆動が制御される。さらにコントローラ部４０からの信号によってもドライブ手段１１の駆動が制御される。これによりＤＶＤ−ＲＯＭ１０が所望の状態で駆動される。
【００３４】
そして上述の前置処理部２０のマイクロコンピュータ２４で取り出された情報信号は、音声及び映像信号のデコーダ部６０に供給される。このデコーダ部６０では、供給された情報信号がビットデータを分配するデマルチプレクサ（ＤＭＸ：De-Multiplexer）６１に供給され、このデマルチプレクサ６１で分配された信号がそれぞれ音声信号のデコーダ６２、制御指令情報（NavigationData）を取り出す情報抽出回路６３、映像信号のデコーダ６４、副画面の映像信号のデコーダ６５、字幕（ＣＣ：Closed Caption）信号の処理回路６６等に供給される。
【００３５】
また、デコーダ６４でデコードされた映像信号が画面サイズ（縦横比）の変換回路６７を通じて副画面の映像信号のデコーダ６５に供給され、このデコーダ６５からの信号が字幕信号の処理回路６６を通じて管面表示（ＯＳＤ：On Screen Display）回路６８に供給される。さらにこれらの回路６２〜６７がマイクロコンピュータ６９によって制御される。そしてこのマイクロコンピュータ６９と外付けの１６ＭＤＲＡＭ（16 Mega-bits Dynamic Random Access Memory）７０等との共働で再生信号が形成される。これによって任意の縦横比の画面に、必要に応じて副画面や字幕の重畳された映像信号が形成される。
【００３６】
さらに上述の音声信号のデコーダ６２から取り出された音声信号がＤ／Ａ（Digital Analog）変換器８０に供給されて、アナログ信号に変換された音声信号が出力される。また管面表示回路６８から取り出された映像信号がエンコーダ９０に供給されて、所望の方式のテレビジョン信号に変換されて出力される。さらに上述の音声及び映像信号のデコーダ部６０では、コントローラ部４０との間で制御信号が交換されて、このコントローラ部４０等を通じて出力される音声及び映像信号の再生信号に対する各種の設定等が行われる。
【００３７】
このようにして、ＤＶＤ−ＲＯＭ（ReadOnly Memory）１０に記録された映像や音声等の再生信号情報と制御指令情報が再生される。そしてこの制御指令情報によって再生信号情報の再生手順や、再生装置の挙動などが規制される。
【００３８】
すなわち上述の装置において、信号処理のシステムの概念は例えば図２に示すように表される。図２においては、モーター（Ｍ）で回転されるＤＶＤ−ＲＯＭ１０から光学ピックアップ（ＯＰ）で再生され分離回路１０３で分離された再生信号情報（Presentation Data）が再生装置１００の再生処理部（Presentation Engine）１０１に供給される。また、ＤＶＤ−ＲＯＭ１０から光学ピックアップ（ＯＰ）で再生され分離回路１０３で分離された制御指令情報（Navigation Data）が再生装置１００の制御処理部（Navigation Manager ）１０２に供給される。そしてこの制御処理部１０２では、操作部１０４からのユーザー操作等と共に、制御指令情報を勘案して、再生処理部１０１を制御し、所望の映像や音声等の再生を行うものである。
【００３９】
そしてこの装置において、制御処理部１０２での処理が、例えば図３以下のフローチャートに示すように行われる。すなわち図３においては、所定の制御指令情報と再生信号情報とが設けられた記録情報から再生信号情報を制御指令情報に従って再生する場合に、再生信号情報に関連して設けられるアドレス（タイトル番号（TTN#m）及びプログラム番号（PGN#n））を逐次検出し、このアドレスが変化した時に再生信号情報の終了を判別するものである。
【００４０】
そこで図３において、終了検出の処理が開始されると、まずステップ〔１〕で動作状態が停止であるか否か判断される。そして停止状態のとき（ＹＥＳ）は、再生信号情報の終了が判別されて検出は終了される。またステップ〔１〕で動作状態が停止でないとき（ＮＯ）は、ステップ〔２〕で動作状態が再生であるか否か判断され、再生でないとき（ＮＯ）はステップ〔１〕に戻されて、ステップ〔１〕〔２〕が繰り返される。
【００４１】
さらにステップ〔２〕で動作状態が再生のとき（ＹＥＳ）は、上述のアドレスが１つの記録媒体中の再生信号情報を１または２以上に任意に分割した各単位ごとに付されたタイトル番号（TTN#m）を含んでいる場合に、ステップ〔３〕で再生中のタイトル番号がアクセス対象の番号（TTN#m）であるか否か判断される。そしてタイトル番号が対象の番号（TTN#m）でないとき（ＮＯ）は、再生信号情報の終了が判別されて検出は終了される。
【００４２】
また、ステップ〔３〕でタイトル番号が番号（TTN#m）であるとき（ＹＥＳ）は、上述のアドレスが各単位中の再生信号情報を１または２以上に任意に分割した各小単位ごとに付されたプログラム番号（PGN#n）を含んでいる場合に、ステップ〔４〕で全てのプログラム番号（PGN#n）が指定されているか否か判断される。そして全てのプログラム番号（PGN#n）が指定されていないとき（ＮＯ）は、ステップ〔５〕で再生中のプログラム番号がアクセス対象の番号（PGN#n）であるか否か判断され、対象の番号（PGN#n）でないとき（ＮＯ）は再生信号情報の終了が判別されて検出は終了される。
【００４３】
さらにステップ〔４〕で全てのプログラム番号（PGN#n）が指定されているとき（ＹＥＳ）、及びステップ〔５〕で再生中のプログラム番号が所望の番号（PGN#n）であるとき（ＹＥＳ）は、ステップ〔６〕で上述の記録媒体中の再生信号情報を分割した単位（タイトル）の再生手順が一義的に定義（One Sequential PGC Title）されていて、その再生の終了が検出されているか否か判断される。そして再生の終了が検出されているとき（ＹＥＳ）は再生信号情報の終了が判別されて検出は終了される。またステップ〔６〕で再生の終了が検出されていないとき（ＮＯ）はステップ〔１〕に戻される。
【００４４】
このようにして、アクセス対象とされるアドレス（タイトル番号（TTN#m）及びプログラム番号（PGN#n））の再生信号情報の終了を判別することができる。これによって、例えば所定の制御指令情報と再生信号情報とがデジタル情報としてディスク状記録媒体に形成されたＤＶＤ−ＲＯＭのような記録情報の再生における所望の情報の終了を、制御指令情報の許諾条件に反することなく検出することができる。
【００４５】
続いて図４からは、所定の制御指令情報と再生信号情報とが設けられた記録情報から再生信号情報を制御指令情報に従って再生する場合に、再生信号情報中の任意の位置をアクセスする手段を示し、この場合に制御指令情報の許諾条件を逐次判別し、この判別結果に基づいて所定の制御指令を発行してアクセスを実行させるように制御するものである。
【００４６】
そこで図４はアクセス手段を決定する手順を示す。この図４において処理が開始されると、まずステップ〔７〕で動作状態が停止であるか否か判断される。そして停止でないとき（ＮＯ）は、さらにステップ〔８〕で動作状態が再生であるか否か判断され、再生でないとき（ＮＯ）はステップ〔７〕に戻されて、ステップ〔７〕〔８〕が繰り返される。またステップ〔８〕で動作状態が再生のとき（ＹＥＳ）は、さらにステップ〔９〕で再生中のタイトル番号がアクセス対象の番号（TTN#m）であるか否か判断され、タイトル番号が対象の番号（TTN#m）のとき（ＹＥＳ）は、後述するアクセス手段１、２、３が全て可能とされる。
【００４７】
またステップ〔７〕で動作状態が停止のとき（ＹＥＳ）は、さらにステップ〔１０〕でアクセスを要求されたアドレスが、再生中と違う記録媒体のものか否か判断される。そして違う記録媒体のとき（ＹＥＳ）は後述するアクセス手段３のみが可能とされる。またステップ〔１０〕で同じ記録媒体のとき（ＮＯ）と、ステップ〔９〕で再生中のタイトル番号がアクセス対象の番号（TTN#m）でないとき（ＮＯ）は、後述するアクセス手段２、３が可能とされる。
【００４８】
そして図５、図６には前述のアクセス手段１の手順を示す。このアクセス手段１は、任意の同じタイトル番号の再生信号情報の単位内でプログラム番号、若しくは全プログラム番号を指定してアクセスする場合に使用されるものである。
【００４９】
図５ において、アクセス手段１が開始されると、まずステップ〔１１〕でアクセス対象のタイトル番号（TTN#m）の制御指令情報（TT SRP#m）でプログラム番号（PGN#n）を指定したアクセスが許諾されているか否か判断される。そして許諾されているとき（ＹＥＳ）は、さらにステップ〔１２〕で全てのプログラム番号（PGN #n）が指定されているか否か判断され、指定されていないとき（ＮＯ）は、ステップ〔１３〕でプログラムアクセス（PGN#n）の制御指令が発行される。またステップ〔１２〕で全てのプログラム番号（PGN#n）が指定されているとき（ＹＥＳ）は、ステップ〔１４〕でプログラムアクセス（PGN#1）の制御指令が発行される。これによってアクセスは終了される。
【００５０】
また、ステップ〔１１〕でプログラム番号（PGN#n）を指定したアクセスが許諾されていないとき（ＮＯ）は、ステップ〔１５〕でアクセス対象のタイトル番号（TTN#m）の制御指令情報（TTSRP#m）で再生手順が一義的に定義（One Sequential PGC Title）されているか否か判断される。ここで定義されているとき（ＹＥＳ）は、さらにステップ〔１６〕で、アクセス対象のタイトル番号（TTN#m）の制御指令情報（TTSRP#m）で再生信号情報となる映像信号の各フレームに設けられた再生時刻を指定したアクセスが許諾されているか否か判断される。そして許諾されているとき（ＹＥＳ）は、さらにステップ〔１７〕で全てのプログラム番号（PGN#n）が指定されているか否か判断され、指定されているとき（ＹＥＳ）は、ステップ〔１８〕で再生時刻アクセス（０）の制御指令が発行される。
【００５１】
さらにステップ〔１７〕で全てのプログラム番号（PGN#n）が指定されていないとき（ＮＯ）は、ステップ〔１９〕でアクセス対象のプログラム番号（PGN#n）の先頭のセル（cell）の再生時刻アクセスが許可されているか否か判断され、許可されているとき（ＹＥＳ）は、ステップ〔２０〕でアクセス対象のプログラム番号（PGN#n）の先頭のセル（cell）の再生時刻を対象とした再生時刻アクセスの制御指令が発行される。これによってアクセスは終了される。
【００５２】
また、上述のステップ〔１５〕でアクセス対象のタイトル番号（TTN#m）の再生手順が一義的に定義されていないとき（ＮＯ）、ステップ〔１６〕で再生時刻を指定したアクセスが許諾されていないとき（ＮＯ）、及びステップ〔１９〕で先頭のセル（cell）の再生時刻アクセスが許可されていないとき（ＮＯ）は、アクセス手段１が行えないと判断される。そして図６のステップ〔２１〕で後述するアクセス手段２が使用されたか否かが判断され、使用されていないとき（ＮＯ）はアクセス手段２が試行される。またステップ〔２１〕でアクセス手段２が使用されていたとき（ＹＥＳ）には、最終的にアクセスは不可能であると判断される。
【００５３】
このようにして、例えば任意の同じタイトル番号の再生信号情報の単位内でプログラム番号、若しくは全プログラム番号を指定してのアクセスが行われる。またこのときアクセス対象や再生中のタイトル番号（TTN#m）の制御指令情報（TTSRP#m）で所望のアクセスの許諾が得られないときには他のアクセス手段が試されるか、最終的にアクセスは不可能であると判断されるものである。
【００５４】
さらに図７、図８には前述のアクセス手段２の第１の手順を示す。このアクセス手段２−１は、任意の同じ記録媒体内でタイトル番号とプログラム番号、若しくはタイトル番号と全プログラム番号を指定してアクセスする場合と、任意の同じタイトル番号の再生信号情報の単位内でプログラム番号、若しくは全プログラム番号を指定したアクセスが行えなかった場合に使用されるものである。
【００５５】
図７において、アクセス手段２−１が開始されると、まずステップ〔３１〕でアクセス対象のタイトル番号（TTN#m）の制御指令情報（TT SRP#m）で、他のタイトルからのタイトル番号（TTN#m）とプログラム番号（PGN#n）を指定したアクセスが許諾されているか否かが判断される。そしてステップ〔３１〕でタイトル番号（TTN#m）とプログラム番号（PGN#n）を指定したアクセスが許諾されているとき（ＹＥＳ）は、ステップ〔３２〕で動作状態が停止であるか否か判断され、停止であるときはアクセス手段２−１の実行が可能であると判断される。
【００５６】
また、ステップ〔３２〕で動作状態が停止でないとき（ＮＯ）は、さらにステップ〔３３〕で動作状態が再生であるか否か判断され、再生でないとき（ＮＯ）はステップ〔３２〕に戻されて、ステップ〔３２〕〔３３〕が繰り返される。またステップ〔３３〕で動作状態が再生のとき（ＹＥＳ）は、ステップ〔３４〕で再生中のタイトル番号の制御指令情報で他のタイトルからのタイトル番号（TTN#m）とプログラム番号（PGN#n）を指定したアクセスが許諾されているか否かが判断され、許諾されているとき（ＹＥＳ）はアクセス手段２−１の実行が可能であると判断される。
【００５７】
さらにステップ〔３４〕で他のタイトルからのタイトル番号とプログラム番号を指定したアクセスが許諾されていないとき（ＮＯ）は、ステップ〔３５〕で再生中のタイトル番号の制御指令情報で再生動作の停止が許諾されているか否かが判断される。そして許諾されているとき（ＹＥＳ）は、ステップ〔３６〕で再生を停止する制御指令が発行され、その後のアクセス手段２−１の実行が可能であると判断される。
【００５８】
そしてアクセス手段２−１の実行が可能であると判断されているときは、図８のステップ〔３７〕で全てのプログラム番号（PGN#n）が指定されているか否か判断され、指定されていないとき（ＮＯ）は、ステップ〔３８〕でプログラムアクセス（TTN#m，PGN#n）の制御指令が発行される。またステップ〔３８〕で全てのプログラム番号（PGN#n）が指定されているとき（ＹＥＳ）は、ステップ〔３９〕でプログラムアクセス（TTN#m，PGN#1）の制御指令が発行される。なおこのアクセス手段２−１が実行された後には、後述するアクセス成功確認の手段が実行される。
【００５９】
また、上述の図７のステップ〔３１〕で、アクセス対象のタイトル番号（TTN#m）の制御指令情報（TT SRP#m）で他のタイトルからのタイトル番号（TTN#m）とプログラム番号（PGN#n）を指定したアクセスが許諾されていないとき（ＮＯ）と、ステップ〔３５〕で再生中のタイトル番号の制御指令情報で再生動作の停止が許諾されていないとき（ＮＯ）は、このアクセス手段２−１が行えないと判断される。
【００６０】
そして図８のステップ〔４０〕で後述するアクセス手段２−２が使用されたか否かが判断され、使用されていないとき（ＮＯ）はアクセス手段２−２が試行される。さらにステップ〔４０〕でアクセス手段２−２が使用されていたとき（ＹＥＳ）は、ステップ〔４１〕で後述するアクセス手段２−３が使用されたか否かが判断され、使用されていないとき（ＮＯ）はアクセス手段２−３が試行される。またステップ〔４１〕でアクセス手段２−２が使用されていたとき（ＹＥＳ）は、ステップ〔４２〕で後述するアクセス手段３が使用されたか否かが判断され、使用されていないとき（ＮＯ）はアクセス手段３が試行される。そしてステップ〔４２〕でアクセス手段３が使用されていたとき（ＹＥＳ）には、最終的にアクセスは不可能であると判断される。
【００６１】
このようにして、例えば任意の同じ記録媒体内でタイトル番号とプログラム番号、若しくはタイトル番号と全プログラム番号を指定してアクセスを行う場合と、上述のアクセス手段１ではアクセスが行えなかった場合にも、所望のアクセスが行われる。そしてこのときアクセス対象や再生中のタイトル番号（TTN#m）の制御指令情報（TT SRP#m）で所望のアクセスの許諾が得られないときには他のアクセス手段が試されるか、最終的にアクセスは不可能であると判断されるものである。
【００６２】
さらに図９、図１０には前述のアクセス手段２の第２の手順を示す。このアクセス手段２−２は、アクセス対象のタイトル番号（TTN#m）の制御指令情報（TTSRP#m）で再生手順が一義的に定義（One Sequential PGC Title）され、且つ任意の同じ記録媒体内で再生時刻を指定してアクセスする場合と、任意の同じタイトル番号の再生信号情報の単位内でプログラム番号、若しくは全プログラム番号を指定したアクセスが行えなかった場合に使用されるものである。
【００６３】
図９において、アクセス手段２−２が開始されると、まずステップ〔５１〕でアクセス対象のタイトル番号（TTN#m）の制御指令情報（TT SRP#m）で再生時刻を指定したアクセスが許諾され、且つアクセス対象のタイトル番号（TTN#m）の制御指令情報（TTSRP#m）で再生手順が一義的に定義（One Sequential PGC Title）されているか否か判断される。そして許諾され且つ定義されているとき（ＹＥＳ）は、ステップ〔５２〕で動作状態が停止であるか否か判断され、停止であるときはアクセス手段２−２の実行が可能であると判断される。
【００６４】
また、ステップ〔５２〕で動作状態が停止でないとき（ＮＯ）は、さらにステップ〔５３〕で動作状態が再生であるか否か判断され、再生でないとき（ＮＯ）はステップ〔５２〕に戻されて、ステップ〔５２〕〔５３〕が繰り返される。またステップ〔５３〕で動作状態が再生のとき（ＹＥＳ）は、ステップ〔５４〕で再生中のタイトル番号の制御指令情報で他のタイトルからの再生時刻を指定したアクセスが許諾されているか否かが判断され、許諾されているとき（ＹＥＳ）はアクセス手段２−２の実行が可能であると判断される。
【００６５】
さらにステップ〔５４〕で再生時刻を指定したアクセスが許諾されていないとき（ＮＯ）は、ステップ〔５５〕で再生中のタイトル番号の制御指令情報で再生動作の停止が許諾されているか否かが判断される。そして許諾されているとき（ＹＥＳ）は、ステップ〔５６〕で再生を停止する制御指令が発行され、その後のアクセス手段２−２の実行が可能であると判断される。
【００６６】
そしてアクセス手段２−２の実行が可能であると判断されているときは、図１０のステップ〔５７〕で全てのプログラム番号（PGN#n）が指定されているか否か判断され、指定されているとき（ＹＥＳ）はステップ〔５８〕で再生時刻アクセス（０）の制御指令が発行される。
【００６７】またステップ〔５７〕で全てのプログラム番号（PGN#n）が指定されていないとき（ＮＯ）は、ステップ〔５９〕でアクセス対象のプログラム番号（PGN#n）の先頭のセル（cell）の再生時刻アクセスが許可されているか否か判断され、許可されているとき（ＹＥＳ）はステップ〔６０〕でアクセス対象のプログラム番号（PGN #n）の先頭のセル（cell）の再生時刻を対象とした再生時刻アクセスの制御指令が発行される。なおこのアクセス手段２−２が実行された後には、後述するアクセス成功確認の手段が実行される。
【００６８】
また上述の図９のステップ〔５１〕でアクセス対象のタイトル番号（TTN#m）の制御指令情報（TT SRP#m）で、再生時刻を指定したアクセスが許諾されていないか、アクセス対象のタイトル番号（TTN#m）の制御指令情報（TTSRP#m）で再生手順が一義的に定義されていないとき（ＮＯ）と、ステップ〔５５〕で再生中のタイトル番号の制御指令情報で再生動作の停止が許諾されていないとき（ＮＯ）、さらに図１０のステップ〔５９〕でアクセス対象のプログラム番号（PGN#n）の先頭のセル（cell）の再生時刻アクセスが許可されていないとき（ＮＯ）は、このアクセス手段２−２が行えないと判断される。
【００６９】
そして図１０のステップ〔６１〕で前述のアクセス手段２−１が使用されたか否かが判断され、使用されていないとき（ＮＯ）はアクセス手段２−１が試行される。さらにステップ〔６１〕でアクセス手段２−１が使用されていたとき（ＹＥＳ）は、ステップ〔６２〕で後述するアクセス手段２−３が使用されたか否かが判断され、使用されていないとき（ＮＯ）はアクセス手段２−３が試行される。またステップ〔６２〕でアクセス手段２−３が使用されていたとき（ＹＥＳ）は、ステップ〔６３〕で後述するアクセス手段３が使用されたか否かが判断され、使用されていないとき（ＮＯ）はアクセス手段３が試行される。そしてステップ〔６３〕でアクセス手段３が使用されていたとき（ＹＥＳ）には、最終的にアクセスは不可能であると判断される。
【００７０】
このようにして、例えばアクセス対象のタイトル番号（TTN#m）の制御指令情報（TT SRP#m）で再生手順が一義的に定義（One Sequential PGC Title）され、且つ任意の同じ記録媒体内で再生時刻を指定してアクセスを行う場合と、上述のアクセス手段１ではアクセスが行えなかった場合にも、所望のアクセスが行われる。そしてこのときアクセス対象や再生中のタイトル番号（TTN#m）の制御指令情報（TTSRP#m）で所望のアクセスの許諾が得られないときには他のアクセス手段が試されるか、最終的にアクセスは不可能であると判断されるものである。
【００７１】
さらに図１１、図１２には前述のアクセス手段２の第３の手順を示す。このアクセス手段２−３は、動作状態が停止、あるいは再生状態であって同じ記録媒体内で再生時刻を指定してアクセスする場合と、任意の同じタイトル番号の再生信号情報の単位内でプログラム番号、若しくは全プログラム番号を指定したアクセスが行えなかった場合に使用されるものである。
【００７２】
図１１において、アクセス手段２−３が開始されると、まずステップ〔７１〕で動作状態が停止であるか否か判断され、停止であるときはアクセス手段２−３の実行が可能であると判断される。
【００７３】
また、ステップ〔７１〕で動作状態が停止でないとき（ＮＯ）は、さらにステップ〔７２〕で動作状態が再生であるか否か判断され、再生でないとき（ＮＯ）はステップ〔７２〕に戻されて、ステップ〔７１〕〔７２〕が繰り返される。またステップ〔７２〕で動作状態が再生のとき（ＹＥＳ）は、ステップ〔７３〕で再生中のタイトル番号の制御指令情報で他のタイトルからの再生時刻を指定したアクセスが許諾されているか否かが判断され、許諾されているとき（ＹＥＳ）はアクセス手段２−３の実行が可能であると判断される。
【００７４】
さらにステップ〔７３〕で再生時刻を指定したアクセスが許諾されていないとき（ＮＯ）は、ステップ〔７４〕で再生中のタイトル番号の制御指令情報で再生動作の停止が許諾されているか否かが判断される。そして許諾されているとき（ＹＥＳ）は、ステップ〔７５〕で再生を停止する制御指令が発行され、その後のアクセス手段２−３の実行が可能であると判断される。そしてアクセス手段２−３の実行が可能であると判断されているときは、図１２のステップ〔７６〕で再生時刻アクセス（TTN#m）の制御指令が発行される。なおこのアクセス手段２−３が実行された後には、後述するアクセス成功確認の手段が実行される。
【００７５】
また上述の図１１のステップ〔７４〕で再生中のタイトル番号の制御指令情報で再生動作の停止が許諾されていないとき（ＮＯ）は、このアクセス手段２−３が行えないと判断される。
【００７６】
そして図１２のステップ〔７７〕で前述のアクセス手段２−１が使用されたか否かが判断され、使用されていないとき（ＮＯ）はアクセス手段２−１が試行される。さらにステップ〔７７〕でアクセス手段２−１が使用されていたとき（ＹＥＳ）は、ステップ〔７８〕で後述するアクセス手段２−３が使用されたか否かが判断され、使用されていないとき（ＮＯ）はアクセス手段２−３が試行される。またステップ〔７８〕でアクセス手段２−３が使用されていたとき（ＹＥＳ）は、ステップ〔７９〕で後述するアクセス手段３が使用されたか否かが判断され、使用されていないとき（ＮＯ）はアクセス手段３が試行される。そしてステップ〔７９〕でアクセス手段３が使用されていたとき（ＹＥＳ）には、最終的にアクセスは不可能であると判断される。
【００７７】
このようにして、動作状態が停止、あるいは再生状態であって同じ記録媒体内で再生時刻を指定してアクセスする場合と、上述のアクセス手段１ではアクセスが行えなかった場合にも、所望のアクセスが行われる。そしてこのとき再生中のタイトル番号の制御指令情報で再生動作の停止が許諾されていないときは、他のアクセス手段が試されるか、最終的にアクセスは不可能であると判断されるものである。
【００７８】
さらに図１３には前述のアクセス手段３の手順を示す。このアクセス手段３は、記録媒体が掛け替えられた場合と、任意の同じ記録媒体内でタイトル番号とプログラム番号、若しくはタイトル番号と全プログラム番号を指定したアクセスが行えなかった場合、及び任意の同じタイトル番号の再生信号情報の単位内でプログラム番号、若しくは全プログラム番号を指定したアクセスが行えなかった場合に使用されるものである。
【００７９】
図１３において、アクセス手段３が開始されると、まずステップ〔８１〕で所望のタイトル番号の再生信号情報を含む記録媒体に対する動作状態を初期状態にする制御指令が発行される。さらにステップ〔８２〕で動作状態が所望の記録媒体の停止状態であるか否か判断され、停止であるときは上述のアクセス手段１または２の実行が可能であると判断される。
【００８０】
また、ステップ〔８２〕で動作状態が停止でないとき（ＮＯ）は、さらにステップ〔８３〕で動作状態が所望の記録媒体の再生状態であるか否か判断され、再生でないとき（ＮＯ）はステップ〔８２〕に戻されて、ステップ〔８２〕〔８３〕が繰り返される。そしてステップ〔８３〕で動作状態が再生のとき（ＹＥＳ）は、上述のアクセス手段１または２の実行が可能であると判断される。
【００８１】
このようにして、記録媒体が掛け替えられた場合と、任意の同じ記録媒体内でタイトル番号とプログラム番号、若しくはタイトル番号と全プログラム番号を指定したアクセスが行えなかった場合、及び任意の同じタイトル番号の再生信号情報の単位内でプログラム番号、若しくは全プログラム番号を指定したアクセスが行えなかった場合に、記録媒体の動作状態を初期状態にすることによって、上述のアクセス手段１または２の実行が可能にされるものである。従ってこれ以後は上述のアクセス手段１または２において、アクセスの実行や最終的なアクセスの実行不可能の判断が行われる。
【００８２】
さらに図１４には前述のアクセスの成功確認手段の手順を示す。すなわち図１４において、アクセスの成功確認の処理が開始されると、まずステップ〔８４〕で動作状態が再生であるか否か判断され、再生状態でないとき（ＮＯ）は、ステップ〔８５〕で動作状態が停止であるか否か判断される。そして停止状態でないとき（ＮＯ）はステップ〔８５〕に戻されて、ステップ〔８４〕〔８５〕が繰り返される。
【００８３】
また、ステップ〔８４〕で動作状態が再生のとき（ＹＥＳ）は、ステップ〔８７〕で再生中のタイトル番号がアクセス対象の番号（TTN#m）であるか否か判断される。さらにタイトル番号が番号（TTN#m）であるとき（ＹＥＳ）は、ステップ〔８７〕で全てのプログラム番号（PGN#n）が指定されているか否か判断される。そして全てのプログラム番号（PGN#n）が指定されているとき（ＹＥＳ）は、アクセスは成功したと判断される。
【００８４】
さらにステップ〔８７〕で全てのプログラム番号（PGN#n）が指定されていないとき（ＮＯ）は、ステップ〔８８〕で再生中のプログラム番号がアクセス対象の番号（PGN#n）であるか否か判断され、対象の番号（PGN#n）であるとき（ＹＥＳ）はアクセスは成功したと判断される。また、ステップ〔８８〕で対象の番号（PGN#n）でないとき（ＮＯ）は、上述のアクセス手段１の実行が可能であると判断される。
【００８５】
また、ステップ〔８６〕でタイトル番号が対象の番号（TTN#m）でないとき（ＮＯ）は、ステップ〔８９〕で再生中の再生信号情報が所定の操作入力画面（メニュー画面）であるか否か判断され、操作入力画面であるとき（ＹＥＳ）はステップ〔９０〕でこの操作入力画面に指定されたタイトル番号（TTN#m）を含むレジュームの情報が存在しているか否か判断される。そして情報が存在しているとき（ＹＥＳ）はステップ〔９１〕でレジュームの情報による飛越操作が許諾されているか否かを判断され、許諾されているとき（ＹＥＳ）はステップ〔９２〕でタイトル番号（TTN#m）へのレジュームの情報による飛越操作の制御指令が発行される。
【００８６】
さらにステップ〔９１〕でレジュームの情報による飛越操作が許諾されていないとき（ＮＯ）は、ステップ〔９３〕でＧｏＵｐの情報による飛越操作が許諾され、且つそのＧｏＵｐの情報が（ＦＦＦＦｈ）であるか否かを判断される。そしてＧｏＵｐの情報による飛越操作が許諾され、且つそのＧｏＵｐの情報が（ＦＦＦＦｈ）であるとき（ＹＥＳ）は、ステップ〔９４〕でＧｏＵｐの情報による飛越操作の制御指令が発行される。そしてこれらの飛越操作が行われた後は、上述のアクセス手段１の実行が可能であると判断される。
【００８７】
また、上述のステップ〔８５〕で動作状態が停止であるとき（ＹＥＳ）と、ステップ〔９０〕でタイトル番号（TTN#m）を含むレジュームの情報が存在していないとき（ＮＯ）、及びステップ〔９３〕でＧｏＵｐの情報による飛越操作が許諾されていないか、そのＧｏＵｐの情報が（ＦＦＦＦｈ）でないとき（ＮＯ）は、アクセスの実行不可能の判断が行われる。
【００８８】
このようにして、上述のアクセス手段１〜３によるアクセスが成功したか否かの確認がされると共に、最終的なアクセスの実行不可能の判断が行われる。これによって、例えば所定の制御指令情報と再生信号情報とがデジタル情報としてディスク状記録媒体に形成されたＤＶＤ−ＲＯＭのような記録情報の再生における所望の情報のアクセスを、制御指令情報の許諾条件に反することなく実行することができる。
【００８９】
さらにこの装置において、指定したタイトル（TT）／プログラム（PG）のランダム／シャッフル再生（プログラムプレイ＝プレイモード再生）を行う際には、例えば以下に述べるような手順で行うことができる。なお以下の説明では、プレイモード再生を行う際の再生単位をステップ（step）と呼び、このステップ（step）で再生される再生信号情報を step(TTN#m, PGN#n)と記述する。ただしタイトル（TTN#m）の全てのプログラム（PGN#n）を指定する場合は、step(TTN#m, ALL) と記述する。
【００９０】
さらに、 step(TTN#m, PGN#n)が設定できる条件は以下の通りである。
１．当該ＤＶＤ−ＶＩＤＥＯディスクにタイトル（TTN#m）が存在する。
２．タイトル（TTN#m）の再生手順が一義的に定義（One Sequential PGC Title）され、且つタイトル（TTN#m）内にプログラム（PGN#n）が存在する（One Sequential PGC Title でない場合は、step(#m, ALL)の場合のみ指定可能）。
【００９１】
そこでプレイモード再生を行う際の具体的な制御が、図１５、図１６のフローチャートに示すように行われる。ここで図１５、図１６は、 step(#m, #n)またはstep(#m, ALL)をプレイモード再生する全手順を示したものである。そして図１５は、指定された step(#m, #n)もしくはstep(#m, ALL)の再生を要求する制御指令を発行するまでの手順である。また図１６は、制御指令の発行後にstepを再生開始するまでの処理とstepの終了を検出する手順であって、step終了後は再び図１５に戻されるものである。
【００９２】
すなわち図１５において、ステップ〔１０１〕では動作状態が停止（Stop State）であるか否か判別される。そしてこのステップ〔１０１〕で停止状態でないとき（ＮＯ）は、ステップ〔１０２〕で動作状態が再生（Program presentation phase）であるか否か判別される。さらにこのステップ〔１０２〕で再生状態でないとき（ＮＯ）は、ステップ〔１０３〕で再生状態か停止状態になるまで待機される。
【００９３】
またステップ〔１０２〕で再生状態のとき（ＹＥＳ）は、ステップ〔１０４〕で再生中のタイトルで動作の停止（Stop()）が許諾されているか否か判別される。このステップ〔１０４〕で許諾されていないとき（ＮＯ）は、ステップ〔１０５〕で再生中のタイトルの全てのプログラムが指定されている（step(#m, ALL)）か否か判別され、さらにステップ〔１０６〕で再生中のタイトルで外部からのタイトルを指定したアクセス（Title Play()）が許諾されているか否か判別される。
【００９４】
そしてこれらのステップ〔１０５〕〔１０６〕のいずれかで許諾がないとき（ＮＯ）は、さらにステップ〔１０７〕で再生中のタイトルでタイトルを指定したアクセス（PTT Play()）が許諾されているか否か判別される。そしてこのステップ〔１０７〕でも許諾されていないとき（ＮＯ）は、ステップ〔１０８〕で指定の再生単位はプレイモード再生できないとされる。
【００９５】
またステップ〔１０１〕で停止状態（ＹＥＳ）か、ステップ〔１０４〕で停止が許諾されているとき（ＹＥＳ）、またはステップ〔１０５〕〔１０６〕の条件が共に許諾されているとき（ＹＥＳ）、あるいはステップ〔１０７〕の条件が許諾されているとき（ＹＥＳ）は、ステップ〔１０９〕で、再生中のタイトルが全てのプログラムを指定している（step(#m, ALL)）か否か判別される。そしてこのステップ〔１０９〕で全てのプログラムが指定されているとき（ＹＥＳ）は、ステップ〔１１０〕でタイトルを指定したアクセス（Title Play(TTN#m)）の制御指令が発行されて、ステップ〔１１１〕で次の再生状態になるまで待機される。
【００９６】
さらにステップ〔１０９〕で全てのプログラムが指定されていないとき（ＮＯ）は、ステップ〔１１２〕で再生中のタイトルで外部からのタイトルを指定したアクセス（PTT Play()）が許諾されているか否か判別される。そして許諾されているとき（ＹＥＳ）は、ステップ〔１１３〕で外部からのタイトルを指定したアクセス（ PTT Play(TTN#m, PTT#n) ）の制御指令が発行されて、ステップ〔１１１〕で次の再生状態になるまで待機される。またそうでステップ〔１１２〕の条件が許諾されていないとき（ＮＯ）は、ステップ〔１１４〕で指定の再生単位はプレイモード再生できないとされる。
【００９７】
このようにして、指定されたstep(#m, #n)もしくはstep(#m, ALL)の再生を要求する制御指令の発行が行われる。そしてさらに図１６では、上述のようにして発行された制御指令に対して、指定された step(#m, #n)もしくはstep(#m, ALL)の再生を開始すると共に、この指定された step(#m, #n)もしくはstep(#m, ALL)の終了が検出される。
【００９８】
すなわち図１６において、ステップ〔１１５〕で動作状態が再生であるか否か判別される。そして再生状態でないとき（ＮＯ）は、ステップ〔１１６〕で動作状態が停止であるか否か判別される。そしてこのステップ〔１１６〕で停止状態でないとき（ＮＯ）は、ステップ〔１１５〕に戻されて、ステップ〔１１５〕〔１１６〕が繰り返される。
【００９９】
またステップ〔１１５〕で動作状態が再生であるとき（ＹＥＳ）は、ステップ〔１１７〕で次に再生開始するのは同じタイトル（TTN#m）か否か判別される。そしてこのステップ〔１１７〕で同じタイトル（TTN#m）でないとき（ＮＯ）と、上述のステップ〔１１６〕で停止状態のとき（ＹＥＳ）は、ステップ〔１１８〕で指定の再生単位はプレイモード再生できないとされる。
【０１００】
さらにステップ〔１１７〕で次に再生開始するのが同じタイトル（TTN#m）であるとき（ＹＥＳ）は、ステップ〔１１９〕で再生中のタイトルが全てのプログラムを指定している（step(#m, ALL)）か否か判別される。そしてこのステップ〔１１９〕で全てのプログラムの指定でないとき（ＮＯ）は、ステップ〔１２０〕で次に再生開始するのが指定のプログラム（PGN#n）か否か判別される。このステップ〔１２０〕で次に再生開始するのが指定のプログラム（PGN#n）でないとき（ＮＯ）は、ステップ〔１２１〕で指定の再生単位はプレイモード再生できないとされる。
【０１０１】
そしてステップ〔１１９〕で全てのプログラムの指定（ＹＥＳ）か、ステップ〔１２０〕で次に再生開始するのが指定のプログラム（PGN#n）であるとき（ＹＥＳ）は、ステップ〔１２２〕で指定の再生単位（step）の再生終了が待機される。すなわちこの状態で指定された step(#m, #n)、もしくはstep(#m, ALL)の再生が行われる。
【０１０２】
さらにステップ〔１２３〕で所望の再生単位（step）を含むプログラムチェーン（PGC）の再生状態（Program Presentation Phase）か否か判別される。このステップ〔１２３〕で再生状態でないとき（ＮＯ）は、ステップ〔１２４〕で動作状態が停止であるか否か判別される。そしてこのステップ〔１２４〕で停止状態のとき（ＹＥＳ）は、ステップ〔１２５〕で指定の再生単位の再生が終了したものとされる。
【０１０３】
またステップ〔１２４〕で動作状態が停止でないとき（ＮＯ）は、ステップ〔１２６〕で所望の再生単位（step）を含まないプログラムチェーン（PGC ）の再生状態（Program Presentation Phase）か否か判別される。またステップ〔１２７〕で再生中のタイトルが全てのプログラムを指定している（step(#m, ALL)）か否か判別される。さらにステップ〔１２８〕で再生中の再生単位が指定のタイトル（TTN#m）であるか否か判断される。そしてこれらのステップ〔１２６〕〔１２７〕が共に条件を満たし（ＹＥＳ）、ステップ〔１２８〕で再生中のタイトルが指定のタイトル（TTN#m）でないとき（ＮＯ）は、ステップ〔１２９〕で指定の再生単位の再生が終了したものとされる。
【０１０４】
さらにステップ〔１２３〕で所望の再生単位（step）を含むプログラムチェーン（PGC ）の再生状態であるとき（ＹＥＳ）は、ステップ〔１３０〕で再生中のタイトルが全てのプログラムを指定している（step(#m,ALL)）か否か判別される。またステップ〔１３１〕で再生中の再生単位が指定のプログラム（PGN#n）であるか否か判断される。そしてこれらのステップ〔１３０〕〔１３１〕が共に否（ＮＯ）であるときは、ステップ〔１３２〕で指定の再生単位の再生が終了したものとされる。
【０１０５】
そして上述のステップ〔１２６〕〔１２７〕のいずれかの条件が否（ＮＯ）であるとき、またステップ〔１２８〕で再生中のタイトルが指定のタイトル（TTN#m）であるとき（ＹＥＳ）、さらにステップ〔１３０〕〔１３１〕のいずれかが条件を満たしているとき（ＹＥＳ）は、上述のステップ〔１２３〕に戻されて再生が継続される。
【０１０６】
このようにして所望の再生単位（step）の終了が検出される。そしてこの終了の検出が行われた後は、再び上述の図１５の手順に戻されて、次に指定された再生単位（step(#m, #n)もしくはstep(#m, ALL)）の再生を要求する制御指令が発行されて、順次所望のタイトル（TT）／プログラム（PG）を指定したランダム／シャッフル再生（プログラムプレイ＝プレイモード再生）が行われる。
【０１０７】
こうして上述の再生方法及び装置によれば、ＤＶＤ−ＲＯＭ（Read Only Memory）１０に記録された映像や音声等の再生信号情報と制御指令情報が再生されると共に、この制御指令情報によって再生信号情報の再生手順や、再生装置の挙動などを規制することができる。
【０１０８】
さらにアクセス対象とされるアドレス（タイトル番号（TTN#m）及びプログラム番号（PGN#n））の再生信号情報の終了を判別することができ、例えば所定の制御指令情報と再生信号情報とがデジタル情報としてディスク状記録媒体に形成されたＤＶＤ−ＲＯＭのような記録情報の再生における所望の情報の終了を、制御指令情報の許諾条件に反することなく検出することができる。
【０１０９】
また、例えば任意の同じタイトル番号の再生信号情報の単位内でプログラム番号、若しくは全プログラム番号を指定してのアクセスが行われると共に、このときアクセス対象や再生中のタイトル番号（TTN#m）の制御指令情報（TT SRP#m）で所望のアクセスの許諾が得られないときには他のアクセス手段が試されるか、最終的にアクセスは不可能であると判断される。
【０１１０】
また、例えば任意の同じ記録媒体内でタイトル番号とプログラム番号、若しくはタイトル番号と全プログラム番号を指定してアクセスを行う場合と、上述のアクセス手段１ではアクセスが行えなかった場合にも、所望のアクセスが行われると共に、このときアクセス対象や再生中のタイトル番号（TTN#m）の制御指令情報（TT SRP#m）で所望のアクセスの許諾が得られないときには他のアクセス手段が試されるか、最終的にアクセスは不可能であると判断される。
【０１１１】
また、例えばアクセス対象のタイトル番号（TTN#m）の制御指令情報（TTSRP#m）で再生手順が一義的に定義（One Sequential PGC Title）され、且つ任意の同じ記録媒体内で再生時刻を指定してアクセスを行う場合と、上述のアクセス手段１ではアクセスが行えなかった場合にも、所望のアクセスが行われると共に、このときアクセス対象や再生中のタイトル番号（TTN#m）の制御指令情報（TTSRP#m）で所望のアクセスの許諾が得られないときには他のアクセス手段が試されるか、最終的にアクセスは不可能であると判断される。
【０１１２】
また、動作状態が停止、あるいは再生状態であって同じ記録媒体内で再生時刻を指定してアクセスする場合と、上述のアクセス手段１ではアクセスが行えなかった場合にも、所望のアクセスが行われると共に、このとき再生中のタイトル番号の制御指令情報で再生動作の停止が許諾されていないときは、他のアクセス手段が試されるか、最終的にアクセスは不可能であると判断される。
【０１１３】
また、記録媒体が掛け替えられた場合と、任意の同じ記録媒体内でタイトル番号とプログラム番号、若しくはタイトル番号と全プログラム番号を指定したアクセスが行えなかった場合、及び任意の同じタイトル番号の再生信号情報の単位内でプログラム番号、若しくは全プログラム番号を指定したアクセスが行えなかった場合に、記録媒体の動作状態を初期状態にすることによって、他のアクセス手段の実行が可能にされ、これらの他のアクセス手段において、アクセスの実行や最終的なアクセスの実行不可能の判断が行われる。
【０１１４】
また、上述のアクセス手段によるアクセスが成功したか否かの確認がされると共に、最終的なアクセスの実行不可能の判断が行われることによって、例えば所定の制御指令情報と再生信号情報とがデジタル情報としてディスク状記録媒体に形成されたＤＶＤ−ＲＯＭのような記録情報の再生における所望の情報のアクセスを、制御指令情報の許諾条件に反することなく実行することができる。
【０１１５】
そしてこれらの再生終了の検出手段や、所望のタイトル番号とプログラム番号を指定したアクセス手段を組み合わせることで、順次所望のタイトル（TT）／プログラム（PG）を指定したランダム／シャッフル再生（プログラムプレイ＝プレイモード再生）を行うことができる。
【０１１６】
さらにこれらの手段を組み合わせることによって、直接任意のタイトル（TT）やプログラム（PG）を指定してアクセスすることや、指定したタイトル（TT）やプログラム（PG）の再生後の自動停止、全タイトル（TT）及びプログラム（PG）の連続再生、あるいは全タイトル（TT）及びプログラム（PG）の繰り返し再生、全タイトル（TT）及びプログラム（PG）のランダム／シャッフル再生、指定のタイトル（TT）／プログラム（PG）の繰り返し再生、任意のタイトル（TT）／プログラム（PG）の１操作でのスキップ、ユーザーが指定したタイトル（TT）／プログラム（PG）の選択再生、次に再生するタイトル（TT）／プログラム（PG）の予約再生、複数の記録媒体（ディスク）に跨がってのそれぞれの上述した再生、などの制御を行うことができる。
【０１１７】
なお本発明は、上述の説明した実施の形態に限定されるものではなく、本発明の精神を逸脱することなく種々の変形が可能とされるものである。
【０１１８】
【発明の効果】
従って請求項１の発明によれば、所定の制御指令情報と再生信号情報とが記録された記録媒体から再生信号情報を制御指令情報に従って再生する再生方法であって、再生信号情報に関連して設けられるアドレスを逐次検出してこのアドレスが変化した場合に再生信号情報の終了を判別すると共に、再生信号情報中の任意の位置をアクセスする場合に、制御指令情報の許諾条件を逐次判別し、この判別結果に基づいて所定の制御指令を発行してアクセスを実行させるように制御してなるものである。これによって所定の制御指令情報の中で許諾された条件に応じて再生信号情報を所望の順番で再生することができ、いわゆるプログラムプレイ（＝プレイモード再生）を可能にすることができる。
【０１１９】
また、請求項２の発明によれば、所定の制御指令情報と再生信号情報とが記録された記録媒体を再生する再生手段と、再生された制御指令情報と任意の操作信号とに基づいて制御指令を発行する制御部と、制御部からの命令に従って再生信号情報を再生する再生処理部とを有する再生装置であって、再生信号情報中の任意の位置をアクセスする場合に制御指令情報の許諾条件を逐次判別する手段と、この判別結果に基づいて所定の制御指令を発行してアクセスを実行させるように制御する手段とを有してなるものである。これによって所定の制御指令情報の中で許諾された条件に応じて任意の再生信号情報をアクセスする制御指令を発行する再生装置を実現することができる。
【０１２０】
また、請求項３の発明によれば、プログラム番号を指定したアクセスが許諾されているか否かを判断して、指定されたプログラム番号へのアクセスの制御指令を発行することによって、任意の同じタイトル番号の再生信号情報の単位内でプログラム番号を指定してアクセスする場合に、許諾された条件に応じて任意の再生信号情報をアクセスする制御指令を発行することができるものである。
【０１２１】
また、請求項４の発明によれば、再生信号情報が途中で再生信号情報が終了したと判断されることなく再生されることを条件として再生時刻を指定したアクセスが許諾されているか否かを判断して、所望のタイトル、プログラムの先頭の再生時刻のアクセスの制御指令を発行することによって、プログラム番号を指定したアクセスが許諾されていない場合にも、許諾された条件に応じて任意の再生信号情報をアクセスする制御指令を発行することができるものである。
【０１２２】
また、請求項５の発明によれば、再生信号情報を途中で再生信号情報が終了したと判断されることなく再生されないとき、または再生時刻を指定したアクセスが許諾されていないとき、または指定されたプログラム番号の先頭の再生信号情報のアクセスが禁止されているときは、当該アクセスが行えないと判断することによって、許諾された条件に基づくアクセス不能の判断を行うことができるものである。
【０１２３】
また、請求項６の発明によれば、再生中のタイトル以外のタイトル番号とプログラム番号を指定したアクセスが許諾されているか否かを判断して、指定されたタイトル番号とプログラム番号へのアクセスの制御指令を発行することによって、任意の同じタイトル番号内でプログラム番号を指定したアクセスが行えなかった場合にも、許諾された条件に応じて任意の再生信号情報をアクセスする制御指令を発行することができるものである。
【０１２４】
また、請求項７の発明によれば、プログラム番号を指定したアクセスが許諾されているか否かを判断して、指定されたタイトル番号とプログラム番号へのアクセスの制御指令を発行することによって、動作状態が再生であるときに許諾された条件に応じて任意の再生信号情報をアクセスする制御指令を発行することができるものである。
【０１２５】
また、請求項８の発明によれば、再生の停止が許諾されているか否かを判断して、再生の停止の制御指令を発行し、その後に指定されたタイトル番号とプログラム番号へのアクセスの制御指令を発行することによって、再生中のタイトルにプログラム番号を指定したアクセスが許諾されていないときにも、許諾された条件に応じて任意の再生信号情報をアクセスする制御指令を発行することができるものである。
【０１２６】
また、請求項９の発明によれば、再生中のタイトル番号の再生信号情報の単位外のタイトル番号とプログラム番号を指定したアクセスが許諾されていないとき、または再生中の再生信号情報に再生の停止が許諾されていないときは、当該アクセスが行えないと判断することによって、許諾された条件に基づくアクセス不能の判断を行うことができるものである。
【０１２７】
また、請求項１０の発明によれば、再生時刻を指定したアクセスが許諾されているか否かを判断して、指定されたプログラム番号の先頭の再生時刻のアクセスの制御指令を発行することによって、同じ記録媒体内、あるいは任意の同じタイトル番号内でプログラム番号を指定したアクセスが行えなかった場合にも、許諾された条件に応じて任意の再生信号情報をアクセスする制御指令を発行することができるものである。
【０１２８】
また、請求項１１の発明によれば、再生時刻を指定したアクセスが許諾されているか否かを判断して、指定されたプログラム番号、若しくはタイトル番号の先頭の再生時刻のアクセスの制御指令を発行することによって、動作状態が再生であるときに、許諾された条件に応じて任意の再生信号情報をアクセスする制御指令を発行することができるものである。
【０１２９】
また、請求項１２の発明によれば、再生の停止が許諾されているか否かを判断して、再生の停止の制御指令を発行し、その後、指定されたプログラム番号、若しくはタイトル番号の先頭の再生時刻のアクセスの制御指令を発行することによって、再生時刻を指定したアクセスが許諾されていないときにも、許諾された条件に応じて任意の再生信号情報をアクセスする制御指令を発行することができるものである。
【０１３０】
また、請求項１３の発明によれば、再生時刻を指定したアクセスが許諾されていないとき、または再生の停止が許諾されていないとき、または指定されたプログラム番号の先頭へのアクセスが禁止されているときは、当該アクセスが行えないと判断することによって、許諾された条件に基づくアクセス不能の判断を行うことができるものである。
【０１３１】
また、請求項１４の発明によれば、動作状態が停止であるときに指定されたタイトル番号へのアクセスの制御指令を発行することによって、任意の同じ記録媒体内あるいはタイトル番号内のプログラム番号を指定したアクセスが行えなかった場合にも、許諾された条件に応じて任意の再生信号情報をアクセスする制御指令を発行することができるものである。
【０１３２】
また、請求項１５の発明によれば、タイトル番号を指定したアクセスが許諾されているか否かを判断して、指定されたタイトル番号へのアクセスの制御指令を発行することによって、任意の同じタイトル番号内でプログラム番号を指定したアクセスが行えなかった場合にも、許諾された条件に応じて任意の再生信号情報をアクセスする制御指令を発行することができるものである。
【０１３３】
また、請求項１６の発明によれば、再生の停止が許諾されているか否かを判断して、再生の停止の制御指令を発行した後、指定されたタイトル番号へのアクセスの制御指令を発行することによって、タイトル番号を指定したアクセスが許諾されていないときにも、許諾された条件に応じて任意の再生信号情報をアクセスする制御指令を発行することができるものである。
【０１３４】
また、請求項１７の発明によれば、再生中の再生信号情報に係わる制御指令情報に再生の停止が許諾されていないときは当該アクセスが行えないと判断することによって、許諾された条件に基づくアクセス不能の判断を行うことができるものである。
【０１３５】
また、請求項１８の発明によれば、動作状態を初期状態にする制御指令を発行した後、任意の同じ記録媒体内あるいは任意の同じタイトル番号の再生信号情報の単位内でプログラム番号を指定したアクセスが行えなかった場合にも、許諾された条件に応じて任意の再生信号情報をアクセスする制御指令を発行することができるものである。
【０１３６】
また、請求項１９の発明によれば、動作状態を初期状態にする制御指令を発行した後、再生信号情報が途中で再生信号情報が終了したと判断されることなく再生されることを条件として再生時刻を指定したアクセスが許諾されているか否かを判断して、所望のタイトル、プログラムの先頭の再生時刻のアクセスの制御指令を発行することによって、プログラム番号を指定したアクセスが許諾されていない場合にも、許諾された条件に応じて任意の再生信号情報をアクセスする制御指令を発行することができるものである。
【０１３７】
また、請求項２０の発明によれば、動作状態を初期状態にする制御指令を発行した後、再生信号情報を途中で再生信号情報が終了したと判断されることなく再生されないとき、または再生時刻を指定したアクセスが許諾されていないとき、または指定されたプログラム番号の先頭の再生信号情報のアクセスが禁止されているときは、当該アクセスが行えないと判断することによって、許諾された条件に基づくアクセス不能の判断を行うことができるものである。
【０１３８】
また、請求項２１の発明によれば、動作状態を初期状態にする制御指令を発行した後、再生中のタイトル以外のタイトル番号とプログラム番号を指定したアクセスが許諾されているか否かを判断して、指定されたタイトル番号とプログラム番号への前記アクセスの制御指令を発行することによって、任意の同じ記録媒体内でタイトル番号とプログラム番号を指定したアクセス、あるいは任意の同じタイトル番号内でプログラム番号を指定したアクセスが行えなかった場合にも、許諾された条件に応じて任意の再生信号情報をアクセスする制御指令を発行することができるものである。
【０１３９】
また、請求項２２の発明によれば、動作状態を初期状態にする制御指令を発行した後、プログラム番号を指定したアクセスが許諾されているか否かを判断して、指定されたタイトル番号とプログラム番号への前記アクセスの制御指令を発行することによって、動作状態が再生であるときに許諾された条件に応じて任意の再生信号情報をアクセスする制御指令を発行することができるものである。
【０１４０】
また、請求項２３の発明によれば、動作状態を初期状態にする制御指令を発行した後、再生の停止が許諾されているか否かを判断して、再生の停止の制御指令を発行し、その後に指定されたタイトル番号とプログラム番号への前記アクセスの制御指令を発行することによって、再生中のタイトルにプログラム番号を指定したアクセスが許諾されていないときにも、許諾された条件に応じて任意の再生信号情報をアクセスする制御指令を発行することができるものである。
【０１４１】
また、請求項２４の発明によれば、再生中のタイトル以外のタイトル番号とプログラム番号を指定したアクセスが許諾されていないとき、または再生の停止が許諾されていないときは、当該アクセスが行えないと判断することによって、許諾された条件に基づくアクセス不能の判断を行うことができるものである。
【０１４２】
また、請求項２５の発明によれば、動作状態を初期状態にする制御指令を発行した後、再生時刻を指定したアクセスが許諾されているか否かを判断して、指定されたプログラム番号の先頭の再生時刻の前記アクセスの制御指令を発行することによって、同じ記録媒体内、あるいは任意の同じタイトル番号内でプログラム番号を指定したアクセスが行えなかった場合にも、許諾された条件に応じて任意の再生信号情報をアクセスする制御指令を発行することができるものである。
【０１４３】
また、請求項２６の発明によれば、動作状態を初期状態にする制御指令を発行した後、再生時刻を指定したアクセスが許諾されているか否かを判断して、指定されたプログラム番号、若しくはタイトル番号の先頭の再生時刻への前記アクセスの制御指令を発行することによって、動作状態が再生であるときに、許諾された条件に応じて任意の再生信号情報をアクセスする制御指令を発行することができるものである。
【０１４４】
また、請求項２７の発明によれば、動作状態を初期状態にする制御指令を発行した後、再生の停止が許諾されているか否かを判断して、再生の停止の制御指令を発行し、その後、指定されたプログラム番号、若しくはタイトル番号の先頭の再生時刻の前記アクセスの制御指令を発行することによって、再生時刻を指定したアクセスが許諾されていないときにも、許諾された条件に応じて任意の再生信号情報をアクセスする制御指令を発行することができるものである。
【０１４５】
また、請求項２８の発明によれば、動作状態を初期状態にする制御指令を発行した後、再生時刻を指定したアクセスが許諾されていないとき、または再生の停止が許諾されていないとき、または指定されたプログラム番号の先頭へのアクセスが禁止されているときは、当該アクセスが行えないと判断することによって、許諾された条件に基づくアクセス不能の判断を行うことができるものである。
【０１４６】
また、請求項２９の発明によれば、動作状態を初期状態にする制御指令を発行した後、動作状態が停止であるときに指定されたタイトル番号へのアクセスの制御指令を発行することによって、任意の同じ記録媒体内あるいはタイトル番号内でプログラム番号を指定したアクセスが行えなかった場合にも、許諾された条件に応じて任意の再生信号情報をアクセスする制御指令を発行することができるものである。
【０１４７】
また、請求項３０の発明によれば、動作状態を初期状態にする制御指令を発行した後、タイトル番号を指定したアクセスが許諾されているか否かを判断して、指定されたタイトル番号へのアクセスの制御指令を発行することによって、任意の同じタイトル番号内でプログラム番号を指定したアクセスが行えなかった場合にも、許諾された条件に応じて任意の再生信号情報をアクセスする制御指令を発行することができるものである。
【０１４８】
また、請求項３１の発明によれば、動作状態を初期状態にする制御指令を発行した後、再生の停止が許諾されているか否かを判断して、再生の停止の制御指令を発行した後、指定されたタイトル番号へのアクセスの制御指令を発行することによって、タイトル番号を指定したアクセスが許諾されていないときにも、許諾された条件に応じて任意の再生信号情報をアクセスする制御指令を発行することができるものである。
【０１４９】
また、請求項３２の発明によれば、動作状態を初期状態にする制御指令を発行した後、再生中の再生信号情報に係わる制御指令情報に再生の停止が許諾されていないときは当該アクセスが行えないと判断することによって、許諾された条件に基づくアクセス不能の判断を行うことができるものである。
【０１５０】
また、請求項３３の発明によれば、動作状態が再生であることを条件として再生中の前記再生信号情報の前記タイトル番号とプログラム番号を前記指定されたタイトル番号とプログラム番号、若しくはタイトル番号と全プログラム番号と比較することによって、これらが一致したときに前記アクセスが成功したと判断することができるものである。
【０１５１】
また、請求項３４の発明によれば、プログラム番号のみ不一致の場合に、プログラム番号を指定したアクセスが許諾されているか否かを判断して、指定されたプログラム番号へのアクセスの制御指令を発行することによって、任意の同じタイトル番号の再生信号情報の単位内でプログラム番号を指定してアクセスする場合に、許諾された条件に応じて任意の再生信号情報をアクセスする制御指令を発行することができるものである。
【０１５２】
また、請求項３５の発明によれば、プログラム番号を指定したアクセスが許諾されていない場合には、再生信号情報が途中で再生信号情報が終了したと判断されることなく再生されることを条件として再生時刻を指定したアクセスが許諾されているか否かを判断して、所望のタイトル、プログラムの先頭の再生時刻のアクセスの制御指令を発行することによって、プログラム番号を指定したアクセスが許諾されていない場合にも、許諾された条件に応じて任意の再生信号情報をアクセスする制御指令を発行することができるものである。
【０１５３】
また、請求項３６の発明によれば、プログラム番号を指定したアクセスが許諾されていない場合で、再生信号情報を途中で再生信号情報が終了したと判断されることなく再生されないとき、または再生時刻を指定したアクセスが許諾されていないとき、または指定されたプログラム番号の先頭の再生信号情報のアクセスが禁止されているときは、当該アクセスが行えないと判断することによって、許諾された条件に基づくアクセス不能の判断を行うことができるものである。
【０１５４】
また、請求項３７の発明によれば、所定の操作入力画面に指定されたタイトル番号を含む飛越操作が設けられているときに、このタイトル番号への飛越操作の制御指令を発行し、プログラム番号を指定したアクセスが許諾されているか否かを判断して、指定されたプログラム番号へのアクセスの制御指令を発行することによって、任意の同じタイトル番号の再生信号情報の単位内でプログラム番号を指定してアクセスする場合に、許諾された条件に応じて任意の再生信号情報をアクセスする制御指令を発行することができるものである。
【０１５５】
また、請求項３８の発明によれば、所定の操作入力画面に指定されたタイトル番号を含む飛越操作が設けられているときに、このタイトル番号への飛越操作の制御指令を発行し、再生信号情報が途中で再生信号情報が終了したと判断されることなく再生されることを条件として再生時刻を指定したアクセスが許諾されているか否かを判断して、所望のタイトル、プログラムの先頭の再生時刻のアクセスの制御指令を発行することによって、プログラム番号を指定したアクセスが許諾されていない場合にも、許諾された条件に応じて任意の再生信号情報をアクセスする制御指令を発行することができるものである。
【０１５６】
また、請求項３９の発明によれば、プログラム番号を指定したアクセスが許諾されていない場合で、再生信号情報を途中で再生信号情報が終了したと判断されることなく再生されないとき、または再生時刻を指定したアクセスが許諾されていないとき、または指定されたプログラム番号の先頭の再生信号情報のアクセスが禁止されているときは、当該アクセスが行えないと判断することによって、許諾された条件に基づくアクセス不能の判断を行うことができるものである。
【０１５７】
また、請求項４０の発明によれば、動作状態が停止のとき、または所定の操作入力画面でないとき、または前記操作入力画面に指定されたタイトル番号を含む飛越操作が設けられていないとき、または飛越操作が許諾されていないときは、アクセスが不可能であると判断することによって、許諾された条件に基づく最終的なアクセス不能の判断を行うことができるものである。